(57)【要約】【課題】        加工性、組み立て性や意匠性に優れ、板材の配置を任意に組み合わせることのできる家具を提供する。【解決手段】    芯材４は棚板（板材）２および側板（板材）３の端面に沿って配置するとともに、芯材４の外周の一側面とその反対側面とを各々互いに平行に設けた連結具固定部４１、４１としてあり、連結具５は二板連結具５Ｂと一板連結具５Ａとがあり、棚板２または側板３の端面をねじ止め固定する当接板部５２と連結具固定部４１にねじ止め自在とした基盤部５１とを有しており、カバー材６の両側端面は各々隣接する棚板２および側板３の側端部に跨って当接しており、棚板２および側板３の隙間から露出する芯材４及び連結具５の側面などを隠蔽するものであり、端部キャップ７は芯材４、連結具５及びカバー材６の端面を隠蔽している。【選択図】        図１
2005102934.tif 000002
【特許請求の範囲】
【請求項１】
板材と、芯材と、連結具と、カバー材と、端部キャップとを備え、芯材は板材の端面に沿って配置するとともに、芯材の外周の一側面とその反対側面とを互いに平行に設けた連結具固定部としてあり、連結具は、二枚の板材を直角に芯材に繋ぐ二板連結具と一枚の板材のみを芯材に繋ぐ一板連結具とがあり、二板連結具は直角に配置した一方の板材の端面にねじ止め固定する当接板部と、直角に配置した他方の板材の端面にねじ止め固定する当接板部と、板材間から芯材の連結具固定部にねじ止め自在な基板部とを有しており、一板連結具は板材の端面にねじ止め固定する当接板部と、芯材の連結具固定部にねじ止め自在な基板部とを有しており、カバー材は略直線状に芯材に繋いだ二枚の板材間に跨って配置する直線部カバー材と、直角に芯材に繋いだ二枚の板材の出隅部において板材間に跨って配置する出隅部カバー材と、直角に芯材に繋いだ二枚の板材の入隅部において板材間に跨って配置する入隅部カバー材とがあり、各カバー材は隣り合う当接板部間に係合して連結具に取り付けてあり、端部キャップは芯材の端面に取り付けて、芯材、連結具及びカバー材の各端面を隠蔽していることを特徴とする家具。
【発明の詳細な説明】
【技術分野】
【０００１】
本発明は、例えば仕切り板材の配置を自由に組み合わせて任意に形成することのできるインテリアボックスなどに好適な家具に関するものである。
【背景技術】
【０００２】
従来から知られているこのような家具として、仕切り板材の端面に連結具を取り付けたユニット材を組み合わせ連結して構成することが一般的に行なわれており、例えば、特許文献１では継手を介して心管の所定位置に組合せ板体を連結するようにして任意の組合せ家具を構成する方法が開示されている。
【特許文献１】実用新案登録第３０４３３７２号公報
【発明の開示】
【発明が解決しようとする課題】
【０００３】
ところが、上記した従来の家具では、締結部品或いは固定部品やねじなどが外部から見えて意匠的に好ましくないものであったり、板材同士を接合する為に角度切りなどの加工を伴ったり、或いは特許文献1の如く、板材や連結具の連結部の構造が複雑で部品の加工性や板材の組み立て性の点で問題があるものであったりしたため、これらの問題を解決することが従来の課題となっていた。
【課題を解決するための手段】
【０００４】
請求項１に記載の発明は、板材と、芯材と、連結具と、カバー材と、端部キャップとを備え、芯材は板材の端面に沿って配置するとともに、芯材の外周の一側面とその反対側面とを互いに平行に設けた連結具固定部としてあり、連結具は、二枚の板材を直角に芯材に繋ぐ二板連結具と一枚の板材のみを芯材に繋ぐ一板連結具とがあり、二板連結具は直角に配置した一方の板材の端面にねじ止め固定する当接板部と、直角に配置した他方の板材の端面にねじ止め固定する当接板部と、板材間から芯材の連結具固定部にねじ止め自在な基板部とを有しており、一板連結具は板材の端面にねじ止め固定する当接板部と、芯材の連結具固定部にねじ止め自在な基板部とを有しており、カバー材は略直線状に芯材に繋いだ二枚の板材間に跨って配置する直線部カバー材と、直角に芯材に繋いだ二枚の板材の出隅部において板材間に跨って配置する出隅部カバー材と、直角に芯材に繋いだ二枚の板材の入隅部において板材間に跨って配置する入隅部カバー材とがあり、各カバー材は隣り合う当接板部間に係合して連結具に取り付けてあり、端部キャップは芯材の端面に取り付けて、芯材、連結具及びカバー材の各端面を隠蔽している構成を前述した従来の課題を解決するための手段としている。
【発明の効果】
【０００５】
本発明の請求項１に係わる家具において、板材は芯材にねじ止め自在とした一板連結具または二板連結具に端面をねじ止め固定しているだけであるから芯材を核として板材同士を容易に繋ぐことができる。
また、芯材は外周の一側面とその反対側面とを互いに平行に設けた連結具固定部としてあるので、芯材を核として２枚〜４枚の板材同士を少ない部品点数で効率よく容易に繋ぐことができる。
各カバー材は隣り合う当接板部間に係合するだけで連結具に取り付けてあるものであるから、カバー材を嵌め込むだけの簡単な取付作業によって取り付けることができる。
端部キャップは芯材、連結具及びカバー材の各端面を隠蔽しているものであるから家具の見付け面からも芯材や連結具は見えなくなり、連結部を隠蔽して意匠的に統一感の有る家具とすることができる。
これらの部材は各々所定寸法の切断と簡単な加工のみでよく、組み立てもねじ止め及び嵌合だけの簡単な作業でできるので、部品点数も少なく、加工性および組み立て性に優れた家具が得られる。
【発明を実施するための最良の形態】
【０００６】
以下、本発明の実施の形態を図面に基づいて説明する。
【０００７】
図１〜図３は本発明に係わる家具の第一実施形態の説明図である。図２は、その組み合わせの一例を示している。図２のＡ部は本発明の家具において想定される組み合わせを全て含んでおり、図１（ａ）〜（ｄ）は図２のＡ部における各連結部を拡大してこれらの詳細を説明する断面図である。図３はこれらの組み合わせの内、図１（ｂ）（図２のＢ部）の場合についての組立分解説明図（ａ）及び組立後の斜視説明図（ｂ）である。
【０００８】
第一実施形態の家具１は水平方向に配置する複数の棚板（板材）２と、垂直方向に配置する複数の側板（板材）３を組み合わせて連結したものであり、棚板２及び側板３は各々互いに連結する方向の両端面に複数のタッピングホール２１、２１、・・・および３１、３１、・・・を有している。芯材４は断面略正八角形の中空材であり、棚板２及び側板３に対して４５°の傾斜を有する外周の一側面とこれに平行な反対側面とをねじ止め自在な連結具固定部４１、４１としてある。芯材４を核として棚板２や側板３を連結している各連結部においては、芯材４が棚板２と側板３との端面に沿って配置してある。連結具５は棚板２及び側板３を直角に芯材４に繋ぐ二板連結具５Ｂと、棚板２または側板３のいずれか一方のみを芯材４に繋ぐ一板連結具５Ａとの二種類があり、二板連結具５Ｂは棚板２の端面に当接してねじ止め固定する一方の当接板部５２と、側板３の端面に当接してねじ止め固定する他方の当接板部５２と、棚板２と側板３との間から芯材４の連結具固定部４１にねじ止めする基板部５１を有しており、一板連結具５Ａは棚板２または側板３の端面に当接してねじ止め固定する当接板部５２と、棚板２と側板３との間から芯材４の連結具固定部４１にねじ止めする基板部５１を有している。当接板部５２の芯材長手方向に沿う両側端部にはカバー材係合部５３、５３を設けてある。当接板部５２は棚板２または側板３のタッピングホール２１、２１、・・・または３１、３１、・・・に対応する位置にねじ孔を設けるとともに、基板部５１に対して４５°の傾斜を有しており、従って、二板連結具５Ｂの二つの当接板部５２、５２は互いに直交する角度を有していることとなるので、棚板２または側板３の端面を当接板部５２に当接してタッピングホール２１、２１、・・・または３１、３１、・・・をねじ止め固定することによって、棚板２と側板３とを二板連結具５Ｂを介して容易に、且つ、確実に互いに直角に連結することができるものであり、また、二板連結具５Ｂの基板部５１を固定している芯材４の二つの連結具固定部４１、４１は互いに平行に設けてあるから、二つの連結具固定部４１、４１にねじ止め固定した二つの二板連結具５Ｂ、５Ｂの内、一方の二板連結具５Ｂに固定した棚板２または側板３と他方の二板連結具５Ｂに固定した側板３または棚板２とは芯材４を介して互いに直交する角度に連結することができ、且つ、芯材４を介して連結した棚板２と棚板２同士或いは側板３と側板３同士は互いに平行に、または同一平面上に固定することができるものである。
【０００９】
カバー材６は二枚の棚板２同士または二枚の側板３同士を同一平面上に直線状に連結した平板連結部Ｇにおいて二枚の棚板２同士または二枚の側板３同士の間に露出する芯材４、連結具５及び板固定ねじ８１や連結ねじ８２を隠蔽する平板部カバー材６Ｃと、棚板２と側板３とを２７０°の角度で連結した出隅コーナー部Ｆにおいて棚板２と側板３との間に露出する芯材４、連結具５及び板固定ねじ８１を隠蔽する出隅部カバー材６Ｂと、棚板２と側板３とを直角に連結した入隅コーナー部Ｅにおいて棚板２と側板３との間に露出する芯材４及び連結具５や連結ねじ８２を隠蔽する入隅部カバー材６Ａと、の３種類が有る。各カバー材６はカバー部６２と一対の芯材係合部６１、６１とを有し、カバー部６２は長手方向に沿う両側端面を互いに隣接する棚板２または側板３の側端部に跨って当接し、棚板２と側板３との連結部、あるいは、棚板２同士又は側板３同士の連結部の隙間に露出する連結具５の基板部５１または芯材４及び連結具５の長手側面を隠蔽しており、一対の芯材係合部６１、６１が互いに隣接する２つの当接板部５２、５２に設けたカバー材係合部５３、５３間に跨って係合し、即ち、当接板部５２、５２のカバー材係合部５３、５３間に芯材係合部６１、６１を嵌め込むことによってカバー材６を固定している。
【００１０】
端部キャップ７は芯材４の端部に当接部７１を当接してねじ止め固定するとともに、芯材４及びカバー材６の端面に当接して芯材４、連結具５及びカバー材６の各端面を隠蔽している。
【００１１】
次に、図１（ｂ）（図２のＢ部）の組み合わせの部分を例として図３（ａ）を参照しながら本発明の第一実施形態の家具１の組立手順を説明する。
【００１２】
本発明の第一実施形態の家具１の例えば図１（ｂ）（図２のＢ部）の組み合わせの部分を組み立てるときは、先ず二板連結具５Ｂの一方の当接板部５２を棚板２の端面に当接して板固定ねじ８１、８１、・・・で棚板２のタッピングホール２１、２１、・・・に二板連結具５Ｂをねじ止め固定し、次いで側板３の端面を他方の当接板部５２に当接し、板固定ねじ８１、８１、・・・で側板３のタッピングホール３１、３１、・・・に二板連結具５Ｂをねじ止め固定すると棚板２と側板３とを直角に連結した構造体が形成できる。そして、この構造体を形成した連結具５の基板部５１を芯材４の一方の連結具固定部４１に当接し、棚板２と側板３との間から連結ねじ８２、８２、・・・を連結具固定部４１に螺入して芯材４に連結する。同様に、もう一組の棚板２と側板３とを別の二板連結具５Ｂにねじ止め固定して棚板２と側板３とを直角に連結したもう一つの構造体を形成し、この構造体を形成した連結具５の基板部５１を芯材４の他方の連結具固定部４１に当接し、同様に芯材４に連結すれば、二枚の棚板２、２と二枚の側板３、３とを各々直角に連結した図１（ｂ）（図２のＢ部）の組み合わせの連結構造体が組み立てられる。この状態ではまだ見付け面及び見込み面に芯材４や連結具５、あるいは板固定ねじ８１や連結ねじ８２が露出したままになっているので、先ず端部キャップ７を取り付けて見付け面の芯材４の端面、二板連結具５Ｂ、５Ｂの端面、棚板２、２の端面部及び側板３、３の端面部が露出する連結部の端面を隠蔽する。端部キャップ７は芯材４の連結具固定部に当接する当接部７１を有し、これをキャップ固定ねじで固定することによって端部キャップを固定して連結部の見付け面を隠蔽するものである。そして、上記した図１（ｂ）（図２のＢ部）の組み合わせ例の場合は連結部の見込み面に４ヶ所の棚板２と側板３との隙間を残した入隅コーナー部Ｅが形成されているので、ここに４本の入隅部カバー材６Ａ、６Ａ、６Ａ、６Ａを各々芯材係合部６１が各隙間において対向している連結具５のカバー材係合部５３、５３の間に見込み面から嵌入してカバー材６の芯材係合部６１を係止固定すればカバー部６２の両側端部が棚板２および側板３の端部に当接するように設けてあるので芯材４や連結具５を完全に隠蔽してすっきりした外観を有する棚板２と側板３の組み合わせ部の組み立てが完了するものである。尚、この入隅部カバー材６Ａ、６Ａ、６Ａ、６Ａ及び端部キャップ７の組み立て手順は上記した手順に限るものでなく、端部キャップ７の当接部７１をキャップ固定ねじ８３で芯材４の連結具固定部にねじ止め固定する箇所の入隅コーナー部に取り付ける１本の入隅部カバー材６Ａの取り付けを最後に行なえばその他の手順はどのようにしてもよい。
【００１３】
本発明の第一実施形態の家具１の例えば図１（ａ）或いは図１（ｄ）（図２のＣ部）の組み合わせの部分を組み立てるときは、上記した図１（ｂ）（図２のＢ部）の組み合わせ部分の組み立てにおける棚板２または側板３を一枚除いて組み立てたものであり、このとき用いる二つの連結具５、５の内、棚板２または側板３を一枚だけ固定する連結具５には一板連結具５Ａ或いは二板連結具５Ｂのいずれを用いても良い。このときに用いるカバー材６は２本の入隅部カバー材６Ａと１本の平板部カバー材６Ｃである。尚、平板部カバー材６Ｃはカバー部６２の中間部に芯材４側に突出して芯材４または当接板部に当接する突出部６３を設けておくことによってカバー材６Ｃの取り付け安定性を向上させることができる。図１（ａ）には一板連結具５Ａを用いた場合を例示し、図１（ｄ）には二板連結具５Ｂを用いた場合を例示している。また、図１（ｃ）（図２のＤ部）の組み合わせの部分の場合は上記した図１（ｂ）（図２のＢ部）の組み合わせ部分において棚板２と側板３とを二板連結具５Ｂに９０°の角度を持って連結固定した構造体を一組だけ芯材４に連結したものであり、このとき用いるカバー材６は１本の入隅部カバー材６Ａと１本の出隅部カバー材６Ｂである。尚、出隅部カバー材６Ｂはカバー部６２の芯材４側に連結具固定部４１を含む芯材４の外周面に沿う当接面を有する芯材当接部６４を設けておくことによってカバー材６Ｂの取り付け安定性を更に向上させることができる。
【００１４】
本発明の第一実施形態の家具１は上記したように芯材４を核として二板連結具５Ｂまたは一板連結具５Ａを介して棚板（板材）２または側板（板材）３を４枚〜２枚連結する構成を任意に、且つ、容易に組み合わせることができるものであるから、上記した連結構造を任意に組み合わせた組み立て手順を適宜選択して適用することによって家具１を任意に有機的に増殖連結していくことが可能であり、即ち、これらの連結構造を自在に組み合わせることによって任意の形状の組み合わせ家具を容易に得ることができるものである。そしてまた、上記した通りのねじ止めと嵌合だけの簡単な組み立て作業で組み立てることができるのに加えて、部品点数も少なく、各部材の加工も簡単な切断及び孔明けのみで済むという格別の効果を有するものである。
【００１５】
本発明は、上述した実施の形態に限らず、本発明の趣旨を逸脱しない範囲で種々の変更が可能である。例えば、芯材の断面形状は略８角形に限定されるものでなく、四角形でも六角形でも、或いは略楕円形状であってもよく、或いは略Ｚ字型のものであっても良い。連結具の当接板部の両側端部に設けたカバー材係合部や、カバー材に設けた芯材係合部及びカバー部の形状は上記した実施の形態に限るものではない。棚板及び側板の材質は上記した実施の形態で示した押出し形材に限定されるものでなく、木材や擬似木材などを用いることができる。
【図面の簡単な説明】
【００１６】
【図１】第一実施形態の家具の図２のＡ部における各連結部の詳細説明図である。
【図２】第一実施形態の家具の一実施例を表わす概観図である。
【図３】図２のＢ部または図１（ｂ）部に関する組立分解図および組み立て後の斜視図である。
【符号の説明】
【００１７】
１      家具
２      棚板（板材）
３      側板（板材）
４      芯材
４１    連結具固定部
５      連結具
５Ａ    一板連結具
５Ｂ    二板連結具
５１    基板部
５２    当接板部
５３    カバー材係合部
６      カバー材
６Ａ    入隅部カバー材
６Ｂ    出隅部カバー材
６Ｃ    平板部カバー材
６１    芯材係合部
６２    カバー部
７      端部キャップ
【図１】
2005102934.tif 000003
【図２】
2005102934.tif 000004
【図３】
2005102934.tif 000005